(57)【要約】【課題】肘掛けを握る際にロック解除の誤動作の生じない安全性に優れたポータブルトイレの肘掛け構造及び該肘掛け構造を備えたポータブルトイレを得る。【解決手段】本発明に係るポータブルトイレ１の肘掛け構造は、後端側がトイレ本体２の支持体１５に回動可能に取り付けられた肘掛け７と、肘掛け７の先端側に設けられ肘掛け７の軸線方向に押込み操作する操作片４１と、一端側が操作片４１に連結され他端側にロックピン４５が設けられると共に肘掛け７の軸線方向に移動可能に設けられた応力伝達バー４３と、応力伝達バー４３及び操作片４１を操作時に肘掛け７の先端側に向けて付勢するバネ４７と、肘掛け７が略水平状態のときにロックピン４５が係止する水平状態係止部とを備え、肘掛け７が水平状態のときに肘掛け７の回動がロックされ、操作片４１を押し込むことでロック解除されて肘掛け７の回動が可能になるようにしたことを特徴とするものである。【選択図】  図１
2015173763.tif 000002
【特許請求の範囲】
【請求項１】
便器及びこれを支持する支持体を有するポータブルトイレの肘掛け構造であって、
後端側が前記支持体に回動可能に取り付けられた肘掛けと、
該肘掛けの先端側に設けられ、該肘掛けの軸線方向に押し込むように操作する操作片と、一端側が該操作片に連結され他端側にロックピンが設けられると共に前記肘掛けの軸線方向に移動可能に設けられた応力伝達バーと、
該応力伝達バー及び前記操作片を操作時に肘掛けの先端側に向けて付勢する付勢手段と、
前記トイレ本体側に設けられて、前記肘掛けが略水平状態のときに前記ロックピンが係止する水平状態係止部とを備え、
前記肘掛けが水平状態のときに前記ロックピンが前記水平状態係止部に係止して前記肘掛けの回動がロックされ、前記操作片を押し込むことで、前記ロックピンの係止が解除されて前記肘掛けの回動が可能になるようにしたことを特徴とするポータブルトイレの肘掛け構造。
【請求項２】
水平状態係止部は、前記ロックピンの先端部が係止可能なロック溝からなり、該ロック溝の溝深さを調整できるようにして、前記ロックピンのロック可否を変更できるようにしたことを特徴とする請求項１に記載のポータブルトイレの肘掛け構造。
【請求項３】
前記肘掛けが跳ね上げられて略垂直状態になったときに前記ロックピンが係止する垂直状態係止部をさらに備えたことを特徴とする請求項１又は２に記載のポータブルトイレの肘掛け構造。
【請求項４】
垂直状態係止部は、前記ロックピンの先端部が係止可能なロック溝からなり、該ロック溝の溝深さを調整できるようにして、前記ロックピンのロック可否を変更できるようにしたことを特徴とする請求項３に記載のポータブルトイレの肘掛け構造。
【請求項５】
請求項１乃至４のいずれか一項に記載のポータブルトイレの肘掛け構造を備えたことを特徴とするポータブルトイレ。
【発明の詳細な説明】
【技術分野】
【０００１】
本発明は、便器及びこれを支持する支持体を備えたポータブルトイレに設けられた肘掛けの構造に関し、特に一端側がポータブルトイレの支持体に回動可能に取り付けられたポータブルトイレの肘掛け構造及び該肘掛け構造を備えたポータブルトイレに関する。
【背景技術】
【０００２】
室内で例えば要介護者等によって使用されるポータブルトイレには、腰掛け動作や立ち上がり動作の際に掴まり部材として機能し、使用者の動作を補助するために、肘掛けが設けられているものがある。
肘掛けは、上記のような動作を行う際には便利であるが、例えばポータブルトイレがベッド横に置かれて、使用者がベッドから横滑りしてポータブルトイレに乗り移ったり、逆にポータブルトイレからベッドに乗り移ったりするような場合を想定すると、肘掛けが邪魔になる。
【０００３】
そこで、肘掛けの基端側を回動可能にポータブルトイレの支持体に取り付け、必要に応じて肘掛けを跳ね上げることができるようにしたものが種々提案されている。
肘掛けを跳ね上げ可能にした場合、例えばポータブルトイレを移動するときに、肘掛けが跳ね上がると肘掛けを持って移動することができず不便であるため、肘掛けを水平状態で維持してロックしたり、必要に応じてロックを解除したりできることが望まれる。
このような要請に応えるものとして、例えば特許文献１に開示された「ポータブルトイレの肘掛け構造」の発明がある。
【０００４】
特許文献１に開示された「ポータブルトイレの肘掛け構造」は、肘掛けの基端部に肘掛けが水平状態になったときに係止して肘掛けの回動を規制するロックピンを設け、該ロックピンによるロック解除を肘掛けの前端部の下部に設けたレバーによって行うことができるようにしている。
より具体的には、レバーの操作によってワイヤに引っ張り力を付与し、このワイヤを介してロックピンの位置を変化させることで、ロックの解除を簡易に行うことができるようにしたものである。
【先行技術文献】
【特許文献】
【０００５】
【特許文献１】特開２０１３−９４１７９号公報
【発明の概要】
【発明が解決しようとする課題】
【０００６】
上述したように、特許文献１の肘掛け構造においては、操作レバーが肘掛けの前端部の下部に設けられ、操作レバー握ることで、肘掛けの回動規制を外す操作ができるようにしている。
しかしながら、肘掛けを握る動作と操作レバーを握る動作が共通していることから、ロック解除の誤動作が生じやすい。
例えば、肘掛けを握ってポータブルトイレを持ち上げて移動しようとした際に、ロックが意図せずに解除されてしまい、肘掛けが不意に跳ね上げられて使用者がびっくりすることが考えられる。
【０００７】
また、特許文献１に開示された肘掛け構造は、水平状態の肘掛けに対しては、肘掛けを回動規制状態（ロック状態）にしたり、回動可能状態（ロック解除状態）にしたりすることができるが、肘掛けを跳ね上げてほぼ垂直にした状態では、肘掛けをロック状態にすることはできない。
そのため、肘掛けを跳ね上げた状態で、トイレに座る際に、跳ね上げられた肘掛けを掴まり棒として利用しようとすると、回動してしまい使用者が転倒することも考えられる。
【０００８】
また、特許文献１に開示された肘掛け構造は、水平状態では必ずロックされ、肘掛けを跳ね上げるには必ずロック解除の操作をする必要がある。
しかしながら、例えば、手が不自由なため、肘掛けのロック解除操作がしづらい使用者であれば、肘掛けをロック解除状態のままにしておきたいと望む場合もあるが、このような要請には応えることができない。
【０００９】
さらにまた、特許文献１に開示のものは、レバーを回動する力をワイヤの引張り力に変換し、この変換された力によってロックピンを移動するようにしている機構であるため、ワイヤのような線部材が必須になっている。
しかし、ワイヤのような線部材は使用期間が長くなると伸びることもあり、操作の確実性が損なわれる可能性がある。
【００１０】
本発明はかかる課題を解決するためになされたものであり、肘掛けを握る際に不意にロック解除がされることのない安全性に優れたポータブルトイレの肘掛け構造及び該肘掛け構造を備えたポータブルトイレを提供することを目的としている。
また、上記の目的に加えて、肘掛けを掴まり棒として機能させることができるポータブルトイレの肘掛け構造及び該肘掛け構造を備えたポータブルトイレを提供することを目的としている。
さらにまた、使用者の要望によってロックの可否を選択できるポータブルトイレの肘掛け構造及び該肘掛け構造を備えたポータブルトイレを提供することを目的としている。
【課題を解決するための手段】
【００１１】
（１）本発明に係るポータブルトイレの肘掛け構造は、便器及びこれを支持する支持体を有するポータブルトイレの肘掛け構造であって、
後端側が前記支持体に回動可能に取り付けられた肘掛けと、
該肘掛けの先端側に設けられ、該肘掛けの軸線方向に押し込むように操作する操作片と、
一端側が該操作片に連結され、他端側にロックピンが設けられると共に前記肘掛けの軸線方向に移動可能に設けられた応力伝達バーと、
該応力伝達バー及び前記操作片を操作時に肘掛けの先端側に向けて付勢する付勢手段と、
前記トイレ本体側に設けられて、前記肘掛けが略水平状態のときに前記ロックピンが係止する水平状態係止部とを備え、
前記肘掛けが水平状態のときに前記ロックピンが前記水平状態係止部に係止して前記肘掛けの回動がロックされ、前記操作片を押し込むことで、前記ロックピンの係止が解除されて前記肘掛けの回動が可能になるようにしたことを特徴とするものである。
【００１２】
（２）また、上記（１）に記載のものにおいて、水平状態係止部は、前記ロックピンの先端部が係止可能なロック溝からなり、該ロック溝の溝深さを調整できるようにして、前記ロックピンのロック可否を変更できるようにしたことを特徴とするものである。
【００１３】
（３）また、上記（１）又は（２）に記載のものにおいて、前記肘掛けが跳ね上げられて略垂直状態になったときに前記ロックピンが係止する垂直状態係止部をさらに備えたことを特徴とするものである。
【００１４】
（４）また、上記（３）に記載のものにおいて、垂直状態係止部は、前記ロックピンの先端部が係止可能なロック溝からなり、該ロック溝の溝深さを調整できるようにして、前記ロックピンのロック可否を変更できるようにしたことを特徴とするものである。
【００１５】
（５）また、本発明に係るポータブルトイレは、上記（１）乃至（４）いずれかに記載のポータブルトイレの肘掛け構造を備えたことを特徴とするものである。
【発明の効果】
【００１６】
本発明においては、操作片を肘掛けの軸線方向に押し込むことでロック解除されて肘掛けの回動が可能になるようにしたことにより、肘掛けを握る際にロック解除の誤動作の生じない安全性に優れたポータブルトイレの肘掛け構造及び該肘掛け構造を備えたポータブルトイレを得ることができる。
【図面の簡単な説明】
【００１７】
【図１】本発明の一実施の形態に係るポータブルトイレの斜視図である。
【図２】本発明の一実施の形態に係るポータブルトイレの肘掛け構造の分解斜視図である。
【図３】本発明の一実施の形態に係るポータブルトイレの肘掛けの側面図である。
【図４】本発明の一実施の形態に係るポータブルトイレの肘掛けの平面図である。
【図５】図３のＡ−Ａ矢視断面図である。
【図６】図４のＢ−Ｂ矢視断面図である。
【図７】図４のＣ−Ｃ矢視断面図である。
【図８】図５における肘掛けの操作部のみを抜き出して説明する説明図である。
【図９】図３のＡ−Ａ矢視断面を示す図であって、ロック解除状態を説明する説明図である。
【図１０】図４のＣ−Ｃ矢視断面を示す図であって、ロック解除状態を説明する説明図である。
【図１１】本発明の一実施の形態に係るポータブルトイレの肘掛けの跳ね上げ状態における側面図である。
【図１２】本発明の一実施の形態に係るポータブルトイレの肘掛けの跳ね上げ状態における背面図である。
【図１３】図１１のＤ−Ｄ矢視断面図である。
【図１４】図１２のＥ−Ｅ矢視断面図である。
【図１５】図１２のＦ−Ｆ矢視断面図である。
【図１６】図１１のＤ−Ｄ矢視断面を示す図であって、ロック解除状態を説明する説明図である。
【図１７】図１２のＦ−Ｆ矢視断面を示す図であって、ロック解除状態を説明する説明図である。
【図１８】本発明の一実施の形態に係るポータブルトイレの肘掛けのロック可否の態様を説明する説明図である。
【発明を実施するための形態】
【００１８】
本発明の一実施の形態に係るポータブルトイレ１は、図１に示すように、トイレ本体２と、トイレ本体２を支持する脚部３と、トイレ本体２の後方側に設けられた背面板５と、トイレ本体２の両側に後方から前方に延出する肘掛け７とを有している。
トイレ本体２は、便器９と、脚部３が取り付けられると共に便器９を支持する支持体１５と、便器９の上面に取り付けられる便座１１と、便器９と便座１１の上面を覆う座面兼背もたれ１３とを備えている。支持体１５は、後方の両側から上方に延出する縦片部１７を備えており、この縦片部１７の側部に肘掛け７が回動可能に取り付けられ、縦片部１７の上端部に背面板５が取り付けられている。
便座１１は、便器９の上面に回動可能に取り付けられている。座面兼背もたれ１３は、折りたたまれて背面板５の前方に立てかけられて背もたれとしても使えるように構成されている。
【００１９】
以下の説明において、ポータブルトイレ１を構成する各部材の位置を表現するに際して、各部材をポータブルトイレに取り付けた状態において、ポータブルトイレ１における背面板５側を「後」、「後方」、「後方側」等といい、背面板５と反対側を「前」、「前方」、「前方側」等という。
【００２０】
本実施の形態に係るポータブルトイレ１は、肘掛け構造に特徴があるので、以下においては肘掛け構造を中心に説明する。
図２は、ポータブルトイレ１の肘掛け構造の分解斜視図である。ポータブルトイレ１の肘掛け構造は、図２に示すように、縦片部１７に回動可能に取り付けられる肘掛け７と、肘掛け７を縦片部１７に取り付けるためのベース部材１９と、肘掛け７側及びベース部材１９側に設けられて肘掛け７の回動を所定位置でロックするロック機構とで構成されている。
以下に、肘掛け構造の各構成について詳細に説明する。
【００２１】
＜肘掛け＞
肘掛け７は、図２に示すように、肘掛け本体２１と、矩形筒体からなり肘掛け本体２１が取り付けられる肘掛けフレーム２５とを有しており、肘掛けフレーム２５をベース部材１９に取り付けた状態で肘掛けフレーム２５の基端側がベース部材１９に回動可能に取り付けられる。また、肘掛けフレーム２５の基端側を覆うカバー体２７を備えている。
【００２２】
≪肘掛け本体≫
肘掛け本体２１は、肘掛けフレーム２５よりも長い有底枠体からなり、肘掛けフレーム２５の上面全体を覆うようにボルト２３で固定されている。
【００２３】
≪肘掛けフレーム≫
肘掛けフレーム２５は、前述のように矩形筒体からなり、後端側には後述するベース部材１９の回動軸２９が挿通される軸穴２５ａが形成され、この軸穴２５ａの少し前方に、後述するロック機構のロックピン４５が挿通される長穴２５ｂが形成されている。
【００２４】
≪カバー体≫
カバー体２７は、肘掛けフレーム２５がベース１９に取り付けられた状態で、その基端側を覆うためのものであり、肘掛けフレーム２５にネジ留めされている。
【００２５】
＜ベース部材＞
ベース部材１９は、回動軸２９と、肘掛け７の角度を略水平状態及び略垂直状態に保つためのストッパー部材３１と、ベース部材１９を縦片部１７にボルト２３で固定するためのボルト孔３３を有している。
【００２６】
ベース部材１９は、３か所ボルト留めすることで縦片部１７に取り付けられる。なお、縦片部１７には、図２に示すように、ベース部材１９のボルト孔３３に対応する３つで一組の縦片部側ボルト孔１７ａが三組設けられており、ベース部材１９の取付の際にどの組を選択するかによって、ベース部材１９の取付高さ（肘掛け７の取付高さ）を３段階に調整可能である。図２の例では、最も高い位置に肘掛け７を取り付けられるように縦片部側ボルト孔１７ａの組（点線の枠で囲んで示す）を選択している。
以下に、ベース部材１９の回動軸２９とストッパー部材３１についてさらに詳細に説明する。
【００２７】
≪回動軸≫
回動軸２９の先端部には、雄ネジ部２９ａが形成されており（図２参照）、回動軸２９に肘掛けフレーム２５の軸穴２５ａを挿通して複数のワッシャー３５を介してナット３７を雄ネジ部２９ａに締め付けることで肘掛けフレーム２５が取り付けられる。
【００２８】
≪ストッパー部材≫
ストッパー部材３１は、ベース部材１９からポータブルトイレ幅方向に突出するように設けられた基部３１ａと、基部３１ａの上面及び後面を覆うように取り付けられた略Ｌ字状の受け部材３１ｂによって構成されている。
肘掛けフレーム２５が略水平状態のときには、受け部材３１ｂの上面が肘掛けフレーム２５に当接して肘掛けフレーム２５が略水平状態から下がらないようにし、また、肘掛けフレーム２５が略垂直状態のときには、受け部材３１ｂの後面が肘掛けフレーム２５に当接して肘掛けフレーム２５が略垂直状態から後方に倒れないようになっている。
なお、受け部材３１ｂは、基部３１ａよりも面積が広くなるように形成され、受圧力を分散する効果がある。また、基部３１ａと受け部材３１ｂとの間に薄い板材を入れることで高さの微調整を行うことができる。
【００２９】
＜ロック機構＞
次に、ロック機構について図１〜図８に基づいて、適宜他の図を参照しながら説明する。
ロック機構は、上述したように肘掛け７側とベース部材１９側とに亘って設けられており、肘掛け７側には、図２に示すように、肘掛けフレーム２５の先端側に設けられ肘掛け７の軸線方向に押し込むように操作する操作片４１と、一端側が操作片４１に連結される応力伝達バー４３と、応力伝達バー４３の他端側に設けられたロックピン４５と、応力伝達バー４３及び操作片４１を操作時に肘掛け７の先端側に向けて付勢する付勢手段としてのバネ４７と、肘掛けフレーム２５の先端側に取り付けられバネ４７の反力を受ける反力受け部材４９とを備えている。
また、ベース部材１９側には、図２に示すように、応力伝達バー４３に取り付けられたロックピン４５を肘掛け７の回動方向にガイドするガイド片５１と、ロックピン４５の先端部が係止する水平ロック溝５３及び垂直ロック溝５５を形成する水平ロック溝形成部材５７及び垂直ロック溝形成部材５９とを備えている。
なお、水平ロック溝５３について「溝」と表記したのは、当該部位が前方向に凹んでいることから溝形状と言い得るからであり、同様に垂直ロック溝５５について「溝」と表記したのは、当該部位が上方向に凹んでいることから溝形状と言い得るからである。
以下に、ロック機構の各構成についてさらに詳細に説明する。
【００３０】
≪操作片≫
操作片４１は、ロックの解除操作をするためのものであり、図１、図３、図５及び図６に示すように肘掛けフレーム２５の先端側に設けられ、肘掛け７の軸線方向に押し込むように操作される（図５中の白抜き矢印参照）。
操作片４１は、図８に示すように、使用者が押込み操作するための操作部６１と、肘掛けフレーム２５の先端に挿入される挿入部６３と、挿入部６３の先端に形成されて応力伝達バー４３の一端が取り付けられる応力伝達バー取付部６５と、応力伝達バー取付部６５から突出するように形成されたバネ取付部６７とを有している。
応力伝達バー取付部６５は、図８に示すように、応力伝達バー４３の一端（連結部６９）が挿入可能な取付溝６５ａを有している。
【００３１】
≪応力伝達バー≫
応力伝達バー４３は、図２に示すように、両端部が略コ字状に屈曲した帯状の板材からなり、前端側の屈曲部が操作片４１と連結される連結部６９となり、後端側の屈曲部がロックピン４５を取り付けるロックピン取付部７１となっている。ロックピン取付部７１には、ロックピン４５が挿入されるロックピン挿入孔７１ａが形成されている。
応力伝達バー４３は、図５及び図６に示すように、肘掛けフレーム２５の内部に挿入されて、一端が操作片４１に支持され、他端がロックピン４５を介して肘掛けフレーム２５の長穴２５ｂに支持されており、前後方向に移動可能になっている。
応力伝達バー４３は板材で構成されているので、使用期間が長くなってもワイヤのように伸びることがなく、操作の確実性が損なわれることがない。なお、応力伝達バー４３は強度を得るために金属で形成するのが好ましい。
【００３２】
≪ロックピン≫
ロックピン４５は、図２に示すように、頭部４５ａと軸部４５ｂとを有し、軸部４５ｂがロックピン挿入孔７１ａに挿入されることで、応力伝達バー４３に取り付けられている（図５中の拡大図参照）。そして、応力伝達バー４３を肘掛けフレーム２５に挿入した状態では、図５に示すように、ロックピン４５の両端が肘掛けフレーム２５の長穴２５ｂから突出するようになっている。
ロックピン４５の応力伝達バー４３への取付は、応力伝達バー４３を肘掛けフレーム２５に挿入後、肘掛けフレーム２５の外側から長穴２５ｂを介して応力伝達バー４３のロックピン挿入孔７１ａにロックピン４５を挿入することで行われる。
ロックピン４５はスナップリング７３（抜け止め輪、図２参照）が装着されて抜け止めされている（図５中の拡大図参照）。ロックピン４５が応力伝達バー４３に取り付けられると、ロックピン４５は応力伝達バー４３を支持するとともに、応力伝達バー４３と一体となって動く。
【００３３】
≪反力受け部材≫
反力受け部材４９は、肘掛けフレーム２５の先端に固定されて、操作片４１のバネ取付部６７に取り付けられたバネ４７の反力を受けるためのものである。
反力受け部材４９は、図２に示すように、断面略コ字状の溝形状からなり、肘掛けフレーム２５の先端側に挿入される。反力受け部材４９の前端側には、肘掛けフレーム２５の先端に当接して位置決めするための鍔部７５が形成され、後端側には溝底から上方に突出する凸形状の反力受け部７７が形成されている。
反力受け部７７には、図５中の拡大図に示すように、前方に突出する凸部７７ａが形成されており、凸部７７ａがバネ４７に挿入されることでバネ４７の位置がずれないようになっている。
【００３４】
≪バネ≫
バネ４７は、応力伝達バー４３及び操作片４１を肘掛けフレーム２５の先端側に向けて付勢するためのものであり、図５に示すように、操作片４１と反力受け部材４９の反力受け部７７との間に配置されている。このようにバネ４７が配置されることで、押込み操作時に操作片４１と応力伝達バー４３とを肘掛けフレーム２５の先端側に向けて付勢し、該付勢力に打ち勝つ押込み力を付与することで操作片４１が押し込まれる。押込み操作を止めると操作片４１の位置が押込み操作前の位置に復帰する。
【００３５】
なお、本実施の形態では、図５中の拡大図に示すように、バネ４７の設置時にバネ４７の端部と反力受け部７７との間に若干の隙間が形成されており、押込み操作時にのみ付勢力が作用するようにしているが、前記隙間が形成されず、バネ４７の設置時に常にバネ４７が縮んだ状態になるようにして、常時付勢力が作用するようにしてもよい。このようにすることで、操作片４１のガタツキがなくなり、操作片４１の押込み操作から復帰をよりスムーズにすることができる。
【００３６】
≪ガイド片≫
ガイド片５１はベース部材１９に取り付けられ、肘掛けフレーム２５が回動する際に、肘掛けフレーム２５に取り付けられているロックピン４５を回動方向にガイドするものである。
ガイド片５１は、図７に示すように、略円弧状の端面を有する板状からなり、該端面がロックピン４５に当接してガイドするガイド面５１ａになっている。
ガイド片５１は、図７に示すように、ガイド面５１ａが回動軸２９に対向するようにベース部材１９に取り付けられている。
【００３７】
≪水平ロック溝形成部材及び垂直ロック溝形成部材≫
水平ロック溝形成部材５７及び垂直ロック溝形成部材５９は、ベース部材１９に取り付けられガイド片５１と共にロックピン４５の先端部が係止する水平ロック溝５３及び垂直ロック溝５５を形成するためのものである。水平ロック溝形成部材５７と垂直ロック溝形成部材５９の基本構成は同じなので、以下の説明では水平ロック溝形成部材５７を例に挙げて説明する。
【００３８】
水平ロック溝形成部材５７は、図２及び図７に示すように、直方体の小片からなり、片側がベース部材１９にネジ留め可能になっている。水平ロック溝形成部材５７は、ガイド片５１の下端面に沿うように取り付けられている。
水平ロック溝形成部材５７が取り付けられることで、ガイド片５１の下端部と水平ロック溝形成部材５７とで、肘掛けフレーム２５の略水平状態においてロックピン４５の頭部４５ａが係止する水平ロック溝５３（図１０参照）が形成されている。図７では、水平ロック溝５３にロックピン４５の頭部４５ａが入り込んでいる状態を示している。
【００３９】
同様に、垂直ロック溝形成部材５９は、図７に示すように、ガイド片５１の上端面に沿うように取り付けられており、ガイド片５１の上端部と垂直ロック溝形成部材５９とによって、肘掛けフレーム２５の略垂直状態においてロックピン４５の頭部４５ａが係止する垂直ロック溝５５が形成されている。
【００４０】
なお、上記の水平ロック溝５３が本発明の「水平状態係止部」に相当し、垂直ロック溝５５が「垂直状態係止部」に相当する。
また、水平ロック溝形成部材５７及び垂直ロック溝形成部材５９は、図７に示した状態と１８０°向きを変えて取り付けることで、ロック溝の溝深さをゼロにして、ロックができない状態にすることができる。
このように、水平ロック溝形成部材５７及び垂直ロック溝形成部材５９によって、ロック溝の溝深さを調整して、ロックの可否を選択することができる。この点については後述する。
【００４１】
以上のように構成された本実施の形態に係るポータブルトイレ１の肘掛け構造の回動時の動作について、ロックピン４５の位置に着目しながら図１、図３〜図７及び図９〜図１７に基づいて説明する。
【００４２】
肘掛け７が略水平状態（図１、図３及び図４参照）では、肘掛けフレーム２５がストッパー部材３１（受け部材３１ｂ）の上面に当接して、肘掛け７が略水平状態に維持されている。
また、ロックピン４５は、図７に示すように、水平ロック溝５３に入り込んで係止している。そのため、この状態で肘掛け７を跳ね上げ方向に回動させようとすると、ロックピン４５がガイド片５１の下端部に当接して肘掛け７の回動を規制する（水平ロック）。
【００４３】
水平ロック状態で肘掛け７を持ってポータブルトイレ１を移動させる場合、肘掛け７を持つ動作（肘掛け７を握る動作）とロック解除の操作（操作片４１を押し込む動作）とが異なるため、不意にロックが解除されることがなく、安全性に優れている。
【００４４】
水平ロック状態で操作片４１の押込み操作を行うと、図９に示すように、ロックピン４５が後方に移動して、水平ロック溝５３から抜け出すようになっている（水平ロック解除、図１０参照）。水平ロック解除中は、肘掛け７を跳ね上げ方向に回動可能である。
肘掛け７を跳ね上げ方向に少し回動させロックピン４５の頭部４５ａがガイド面５１ａまで移動すると、操作片４１への押込み力の付与を止める。そうすることで、ロックピン４５の頭部４５ａはバネ４７の付勢力によってガイド面５１ａに押圧される。この状態で、肘掛け７を跳ね上げ方向にさらに回動すると、ロックピン４５の頭部４５ａがガイド片５１のガイド面５１ａに沿って移動し、肘掛け７が略垂直状態になると、バネ４７の付勢力によってロックピン４５が垂直ロック溝５５に入り込む。
【００４５】
肘掛け７を、略水平状態（図３及び図４参照）から跳ね上げて略垂直状態としたものを図１１及び図１２に示すと共に、図１１の矢視Ｄ−Ｄ断面を図１３に、図１２の矢視Ｅ−Ｅ断面を図１４に、図１２の矢視Ｆ−Ｆ断面を図１５に、それぞれ示す。
なお、図１１〜図１５は、跳ね上げ後に操作片４１の押込み操作を止めた状態を示している。また、図１１〜図１３及び図１５においてカバー体２７は図示を省略している。
肘掛け７が略垂直状態では、図１１に示すように、肘掛けフレーム２５がストッパー部材３１（受け部材３１ｂ）の後面に当接して、肘掛け７が略垂直状態から後方に倒れるのを防止している。
また、ロックピン４５の頭部４５ａは、図１５に示すように、垂直ロック溝５５（符号は図１７参照）に係止している。そのため、この状態で肘掛け７を前倒し方向に回動させようとすると、ロックピン４５がガイド片５１の上端部に当接して回動できないようになっている（垂直ロック）。
垂直ロック状態では、例えば利用者がトイレに座る際に肘掛け７を掴まり棒として利用することができる。この場合においても、肘掛け７を握る動作と操作片４１を押し込む動作が全く異なるものであることから、誤ってロックが解除されることがなく、安全である。
【００４６】
垂直ロック状態において操作片４１を押し込むと、図１６に示すように、ロックピン４５が図１３に示す位置から肘掛けフレーム２５の基端側に移動して、垂直ロック溝５５から抜け出し（垂直ロック解除、図１７参照）、肘掛け７を前倒し方向に回動可能になる。
【００４７】
以上のように、本実施の形態のポータブルトイレ１は、肘掛け７を水平状態でロックすることに加えて、垂直状態でロックすることができる。
そして、肘掛け７を垂直状態でロックできるようにしたことで、肘掛け７を掴まり棒として機能させることができ、特に身体に障害を持つ人にとって便利である。
【００４８】
また、肘掛け７のロック状態の解除を行う操作片４１を肘掛けフレーム２５の先端部に設け、その操作方向を肘掛け７の軸方向に押込む方向としたことで、操作片４１の操作の動作が肘掛けを握る動作と全く異なるものとなり、このため、肘掛け７の回動動作の際に肘掛け７を握ったとしても、誤ってロックが解除されることがなく、安全性に優れている。
【００４９】
また、水平ロック溝形成部材５７及び垂直ロック溝形成部材５９によってロック溝の溝深さを調整でき、溝無しにすることもできるので、水平状態と垂直状態でのロックの可否を自由に選択できる。
したがって、上記の説明では、水平ロック及び垂直ロック可能なものについて説明したが、ロック可否の態様は上記のものに限られず、以下の態様を取り得る。
この点を、図１８に基づいて詳細に説明する。
【００５０】
図１８（ａ）は図７及び図１０と同様に水平ロック溝５３及び垂直ロック溝５５の両方を形成し、水平ロック及び垂直ロックのいずれをも可能にしたものである。
また、図１８（ｂ）は垂直ロック溝５５のみを形成し垂直ロックのみ可能にしたもの、図１８（ｃ）は水平ロック溝５３のみを形成し水平ロックのみを可能にしたもの、図１８（ｄ）はいずれのロック溝も形成せずに水平ロック及び垂直ロックの両方ができないものをそれぞれ示している。なお、図１８において、ロックピン４５の頭部４５ａの移動範囲を両矢印で示している。
例えば、手が不自由なため、肘掛け７のロック解除操作がしづらい使用者であれば、肘掛け７を水平ロック不可にしておくことで、ロック解除操作不要であるため該使用者は肘掛け７を容易に跳ね上げることができる。
また、使用者の障害が大きい場合であって、ロック解除を介護者が行う場合には、肘掛け７の水平状態、垂直状態を問わずロックできるようにすることで、使用者の安全に資することができる。
このようにロック可否の態様を、使用者の使用態様、例えば使用者の操作の可否、ロック解除操作を行う者が介護者なのか要介護者なのか等に合わせて、最適なものに選択できるので、便宜性と安全性を兼ね備えたポータブルトイレを実現できる。
【符号の説明】
【００５１】
１  ポータブルトイレ
２  トイレ本体
３  脚部
５  背もたれ
７  肘掛け
９  便器
１１  便座
１３  蓋体
１５  支持体
１７  縦片部
１７ａ  縦片部側ボルト孔
１９  ベース部材
２１  肘掛け本体
２３  ボルト
２５  肘掛けフレーム
２５ａ  軸穴
２５ｂ  長穴
２７  カバー体
２９  回動軸
２９ａ  雄ネジ部
３１  ストッパー部材
３１ａ  基部
３１ｂ  受け部材
３３  ボルト孔
３５  ワッシャー
３７  ナット
４１  操作片
４３  応力伝達バー
４５  ロックピン
４５ａ  頭部
４５ｂ  軸部
４７  バネ
４９  反力受け部材
５１  ガイド片
５１ａ  ガイド面
５３  水平ロック溝
５５  垂直ロック溝
５７  水平ロック溝形成部材
５９  垂直ロック溝形成部材
６１  操作部
６３  挿入部
６５  応力伝達バー取付部
６５ａ  取付溝
６７  バネ取付部
６９  連結部
７１  ロックピン取付部
７１ａ  ロックピン挿入孔
７３  スナップリング
７５  鍔部
７７  反力受け部
７７ａ  凸部
【図１】
2015173763.tif 000003
【図２】
2015173763.tif 000004
【図３】
2015173763.tif 000005
【図４】
2015173763.tif 000006
【図６】
2015173763.tif 000007
【図７】
2015173763.tif 000008
【図８】
2015173763.tif 000009
【図１０】
2015173763.tif 000010
【図１１】
2015173763.tif 000011
【図１２】
2015173763.tif 000012
【図１４】
2015173763.tif 000013
【図１５】
2015173763.tif 000014
【図１７】
2015173763.tif 000015
【図１８】
2015173763.tif 000016
【図５】
2015173763.tif 000017
【図９】
2015173763.tif 000018
【図１３】
2015173763.tif 000019
【図１６】
2015173763.tif 000020